(57)【要約】【課題】細断対象物の種類ごとに細断寸法や細断トルクを適切な範囲に設定することができ、磁気情報の消去も確実に行えるシュレッダー装置を提供すること。【解決手段】細断用カッター８〜１０を支持した本体１の上蓋２の外面に文書類挿入口５と、磁気ディスク類挿入口６と、磁気カード類挿入口７とを分けて区画配置してあると共に、少なくとも前記磁気カード類挿入口７と前記細断用カッター１０との間に一対の磁石１１、１２をカード類通過間隙を隔てて対向配置してある。【選択図】図２
0003120594.tif 000002
【実用新案登録請求の範囲】
【請求項１】
細断用カッターを支持した本体の上蓋の外面に文書類挿入口と、磁気ディスク類挿入口と、磁気カード類挿入口とを分けて区画配置してあると共に、少なくとも前記磁気カード類挿入口と前記細断用カッターとの間に一対の磁石をカード類通過間隙を隔てて対向配置してあることを特徴とするシュレッダー装置。
【請求項２】
前記磁気カード類挿入口は、磁気カード類の短辺長さと１枚分の厚さより僅かに大きい長方形開口形状とされており、前記一対の磁石は、前記磁気カード類挿入口に対応した長さの長方形板状とされていると共に、前記一対の磁石は、磁気カード類の１枚分の厚さより僅かに大きいカード類通過間隙を隔てて対向配置してあることを特徴とする請求項１に記載のシュレッダー装置。
【請求項３】
前記文書類挿入口は、Ａ４サイズまたはＢ４サイズの紙片複数枚をその短辺側から挿入可能な長方形開口形状とされており、前記文書類挿入口に隣接して前記磁気ディスク類挿入口と磁気カード類挿入口とが平行かつ同一直線上に配置され、前記細断用カッターが前記文書類挿入口、前記磁気ディスク類挿入口及び前記磁気カード類挿入口に各々対応して設けられていることを特徴とする請求項１又は２に記載のシュレッダー装置。
【請求項４】
前記細断用カッターは、手動ハンドルによって回転駆動可能とされていることを特徴とする請求項１〜３の何れかに記載のシュレッダー装置。
【請求項５】
前記文書類挿入口に対応して設けられる細断用カッターは、文書類を２方向に直交して細断するクロスカット構造とされており、前記磁気ディスク類挿入口及び磁気カード類挿入口に対応して設けられる細断用カッターは、１方向に細断するストレートカット構造とされていることを特徴とする請求項１〜４の何れかに記載のシュレッダー装置。
【考案の詳細な説明】
【技術分野】
【０００１】
本考案は、個人情報や機密事項などが記載された料金明細・領収書、その他の印刷物、文書類を細断し、また、ＣＤ，ＤＶＤなどの記録媒体を裁断し、さらに、キャッシュカード、クレジットカードなどのＩＣカード類を細断し、同時に磁気記録データを破壊消去してそれらに記録されたデジタルデータの再生を防止し、廃棄物からの個人情報や機密事項などが漏洩することを防止するためにオフィスや家庭などで使用されるシュレッダー装置に関するものである。
【背景技術】
【０００２】
従来、機密文書などを廃棄処分するために、本体の上面に挿入口を形成し、内部に細断用カッターを設けた構造のシュレッダー装置が提供されている。また、フレキシブルディスクや磁気ディスクなどの磁気記憶媒体を廃棄処分する場合、それらを細断するだけでなく、細断片に残った磁気情報を消去する装置を細断用カッターに並設する細断装置が公知である（例えば、特許文献１参照）。
【特許文献１】実開昭６２−１７９０３６号公報
【考案の開示】
【考案が解決しようとする課題】
【０００３】
しかし、従来のシュレッダー装置は、通常、１つの挿入口を形成しているだけであり、前記特許文献１に記載されている細断装置も、本体の上面に挿入口を１つだけ設置したものを開示しているだけである。
ところが、細断対象物は、機密文書などの紙片から磁気ディスク類や磁気カード類まで複数種類あり、これらの細断対象物を共通の挿入口から挿入して共通の細断用カッターで細断するようにしている方式であれば、適切ではない。
【０００４】
即ち、細断対象物の種類が異なるものの間では、細断方法や所要トルクが異なるため、これらを同じ細断用カッターで細断する方式は、細断片（屑）のサイズや形状が不適切である場合や、トルク不足となる場合などがあり、適切ではない。
例えば、文書類は、できるだけ細かく細断することが必要であるため、カッターの設置間隔を小さくして多数枚を密配置で使用する必要があるが、このような密配置の細断用カッターで磁気ディスク類や磁気カード類を細断しようとすると、大きな駆動トルクが必要となり、ハンドシュレッダーのように手動でカッターを回転駆動する場合、特に、女性や子供などの力の弱い者では、細断できない場合がある。
【０００５】
また、上記従来の方式では、磁気情報の消去を必要としない文書類も細断処理可能とするために、挿入口の開口寸法を磁気記憶媒体の寸法以上に大きい寸法、例えば、Ａ４サイズ乃至Ｂ４サイズの文書類を挿入可能な寸法にしておく必要がある。そのため、磁気情報消去装置も挿入口の開口寸法に合わせて磁気記憶媒体の寸法以上に大きい（長い）ものを配置する必要があり、無駄が多くなり、合理的ではない。
【０００６】
また、前記特許文献１の磁気情報消去装置は、挿入口と細断用カッターとの間の磁気記憶媒体通路の片側にのみ設置した場合を例示しているが、これであると、次のような問題点がある。即ち、磁気記憶媒体は、磁気情報記憶部分が片面だけに形成されているものと、両面に形成されているものとがあり、片面だけに形成されているものは、磁気情報記憶部分の形成された面を磁気情報消去装置が設置されている側に整合させて挿入する必要があり、反対向きに挿入すると、磁気情報が消去されなかったり、消去が不完全となる恐れがあり、また、磁気情報記憶部分が媒体の両面に形成されているものは、片面だけが消去され、他の面は消去されなかったり、消去が不完全となる恐れがある。
【０００７】
本考案は、従来の上記問題点に鑑みて提案されたものであって、その目的とするところは、細断対象物の種類ごとに細断寸法や細断トルクを適切な範囲に設定することができ、磁気情報の消去も確実に行えるシュレッダー装置を提供することにある。
【課題を解決するための手段】
【０００８】
前記目的を達成するために本考案は、細断用カッターを支持した本体の上蓋の外面に文書類挿入口と、磁気ディスク類挿入口と、磁気カード類挿入口とを分けて区画配置してあると共に、少なくとも前記磁気カード類挿入口と前記細断用カッターとの間に一対の磁石をカード類通過間隙を隔てて対向配置してあることを特徴としている。
上記構成によれば、文書類と、磁気ディスク類と、磁気カード類とに選別してそれぞれに最適の細断方法や細断トルクにより細断することができ、磁気情報も挿入向きに関係なく同時に確実に破壊乃至消去することができる。特に、磁気情報記憶部が片面にだけ形成されている媒体の場合では、当該面がどちら向きに挿入されてもよく、両面に形成されているものもであってもそれらの磁気情報を確実に破壊乃至消去することができる。
【０００９】
前記磁気カード類挿入口は、磁気カード類の短辺長さと１枚分の厚さより僅かに大きい長方形開口形状とされており、前記一対の磁石は、前記磁気カード類挿入口に対応した長さの長方形板状とされていると共に、前記一対の磁石は、磁気カード類の１枚分の厚さより僅かに大きいカード類通過間隙を隔てて対向配置してあることを特徴としている。
上記構成によれば、磁気情報記憶部の位置が磁気カード類のどの位置にあっても、磁気カード類を１枚づつ長辺方向に沿って挿入して両面を磁石に近接させて通過させることができ、当該磁気カード類の磁気情報を確実に破壊乃至消去させることができる。
【００１０】
前記文書類挿入口は、Ａ４サイズまたはＢ４サイズの紙片複数枚をその短辺側から挿入可能な長方形開口形状とされており、前記文書類挿入口に隣接して前記磁気ディスク類挿入口と磁気カード類挿入口とが平行かつ同一直線上に配置され、前記細断用カッターが前記文書類挿入口、前記磁気ディスク類挿入口及び前記磁気カード類挿入口に各々対応して設けられていることを特徴としている。
【００１１】
上記構成によれば、文書類は、Ａ４サイズまたはＢ４サイズまで細断可能となり、この横長寸法範囲内に磁気ディスク類挿入口と磁気カード類挿入口とを並べて配置することができ、これによって、本体の上蓋に３種類の挿入口をコンパクトに合理的に配置することができ、しかも、文書類挿入口の細断用カッターに隣接して他の２つの挿入口の細断用カッターを軸線を平行にして配置することができ、特に、磁気ディスク類挿入口の細断用カッターと磁気カード類挿入口の細断用カッターとは同軸上に一連に配置できるため、各細断用カッターの駆動力伝達機構も小型コンパクトに構成することができる。また、対象物を文書類と磁気ディスク類と磁気カード類とに分けて細断させ得るため、各対象物に最適な寸法や形状に細断させることができ、回転駆動トルクも適正な範囲に設定することが容易となる。
【００１２】
前記細断用カッターは、手動ハンドルによって回転駆動可能とされていることを特徴としている。
上記構成によれば、電気などの動力を利用することなく文書類、磁気ディスク類及び磁気カード類を細断することができる。
前記文書類挿入口に対応して設けられる細断用カッターは、文書類を２方向に直交して細断するクロスカット構造とされており、前記磁気ディスク類挿入口及び磁気カード類挿入口に対応して設けられる細断用カッターは、１方向に細断するストレートカット構造とされていることを特徴としている。
【００１３】
上記構成によれば、文書類は２方向に直交して細断され、磁気ディスク類及び磁気カード類は１方向に帯状に細断される。
【考案の効果】
【００１４】
本考案によれば、細断対象物の種類ごとに細断寸法や細断トルクを適切な範囲に設定することができ、磁気情報の消去も確実に行えるシュレッダー装置を提供することができる。
【考案を実施するための最良の形態】
【００１５】
以下、本考案に係るシュレッダー装置の実施の形態を図面の記載に基づいて説明する。
図１〜図４において、本考案のシュレッダー装置は、本体１と、上蓋２とからなっている。本体１は、上面が開口した箱形状とされ、その上面に基盤３が載置され、この基盤３上にシュレッダー主要部４が設置され、それらの主要部４は上蓋２が被せられることによって被覆されている。
【００１６】
上蓋２の上面（外面）には、文書類挿入口５と、磁気ディスク類挿入口６と、磁気カード類挿入口７とが区画配置されている。
文書類挿入口５は、Ａ４サイズの紙片複数枚（３〜５枚程度）をその短辺側から挿入可能な長方形開口形状（例えば、開口面積：２２０ｍｍ×７ｍｍ）とされている。
磁気ディスク類挿入口６は、パソコンに採用されている磁気ディスク１枚を挿入可能な長方形開口形状（例えば、開口面積：１２５ｍｍ×３ｍｍ）とされている。
【００１７】
磁気カード類挿入口７は、キャッシュカードやクレジットカードなどの磁気カード類１枚をその短辺側から挿入可能な長方形開口形状（例えば、開口面積：５６ｍｍ×２．５ｍｍ）とされている。
各挿入口の配置は、図１に示すように、文書類挿入口５に隣接して、磁気ディスク類挿入口６と磁気カード類挿入口７とが平行かつ同一直線上に配置されている。
【００１８】
上記各挿入口に対応して、シュレッダー主要部４を構成する文書類細断用カッター８、磁気ディスク類細断用カッター９、磁気カード類細断用カッター１０が基盤３上に設けられている。
文書類細断用カッター８は、図２、図４及び図７に示すように、一対の円盤状回転刃８ａ、８ｂを、その周縁一部を相互に重合させてカッター軸８ｃ、８ｄ上に、軸方向に多数枚密着させて配置している。そして、各円盤状回転刃８ａ、８ｂは、外周の軸方向両側角部を１方向の細断エッジ部としている。また、各円盤状回転刃８ａ、８ｂは、その外周に鋭角状の突刃８ｅ、８ｆを周方向等間隔で複数個（図は３個の場合を例示しているが、３個以上でもよい。）配置している。この突刃８ｅ、８ｆは、他方向の細断エッジ部となる。これによって、文書類細断用カッター８は、一対の円盤状回転刃８ａ、８ｂを図２の矢印方向に回転させるとき、文書類挿入口５から挿入された文書類をくわえ込んで下方へ送り込みながら、そのくわえ込んだ文書類を２方向に直交して細断するクロスカット構造とされている。
【００１９】
磁気ディスク類細断用カッター９は、図４に示すように、一対の円盤状回転刃９ａ、９ｂを、その周縁一部を重合させてカッター軸９ｃ、９ｄ上に軸方向等間隔で複数対（図４は２対の場合を例示しているが２対以上としてもよい。）設置している。各円盤状回転刃９ａ、９ｂは、外周縁の軸方向片側面が鋭角状の傾斜面として形成され、該傾斜面と反対側の軸方向他側面同士を相互に接触させて配置している。これによって、磁気ディスク類細断用カッター９は、一対の円盤状回転刃９ａ、９ｂを相互に逆方向に回転させるとき、磁気ディスク類挿入口６から挿入された磁気ディスク類をくわえ込んで下方へ送り込みながら、そのくわえ込んだ磁気ディスク類を１方向に細断するストレートカット構造とされている。
【００２０】
磁気カード類細断用カッター１０は、図２、図４及び図６に示すように、一対の円盤状回転刃１０ａ、１０ｂを、その周縁一部を重合させて前記磁気ディスク類細断用カッター９のカッター軸９ｃ、９ｄと同一軸上に軸方向等間隔で複数対（図４は３対の場合を例示しているが３対以上としてもよい。）設置している。各円盤状回転刃１０ａ、１０ｂは、前記円盤状回転刃９ａ、９ｂと同様に、外周縁の軸方向片側面が鋭角状の傾斜面として形成され、該傾斜面と反対側の軸方向他側面同士を相互に接触させて配置している。これによって、磁気カード類細断用カッター１０は、一対の円盤状回転刃１０ａ、１０ｂを図２の矢印方向に回転させるとき、磁気カード類挿入口７から挿入された磁気カード類をくわえ込んで下方へ送り込みながら、そのくわえ込んだ磁気カード類を１方向に細断するストレートカット構造とされている。
【００２１】
上記磁気カード類挿入口７と磁気カード類細断用カッター１０との間には、図２に示すように、一対の磁石１１、１２が磁気カード類の１枚分の厚さより僅かに大きいカード類通過間隙（例えば、４ｍｍ〜４．５ｍｍ程度）を隔てて対向配置されている。
一対の磁石１１、１２は、前記磁気カード類挿入口７に対応した長さの長方形板状（例えば、５９ｍｍ×１４ｍｍ×３ｍｍ）とされている。
【００２２】
上記磁石１１、１２の磁束密度は、磁気カード類が通過するときに磁気情報記憶部に記憶された磁気情報を確実に破壊乃至消去させることができる程度であればよく、例えば、２８００（Ｗｂ／ｍ2）とされる。
上記一対の磁石１１、１２は、図２に示すように、上蓋２の内面で前記磁気カード類挿入口７の両側に形成された上側装着枠１３の溝１３ａ、１３ｂと、これとは別に形成された下側装着枠１４の溝１４ａ、１４ｂとに周囲を嵌合保持させて設置されている。これら上下の溝１３ａ、１３ｂ、１４ａ、１４ｂは、図８に示すように、各磁石１１、１２の周囲だけを嵌合保持させ、相互に対向する内面側において、磁気作用面が途中で途切れることなく一連に大きく露出するような窓枠構造とされている。なお、下側装着枠１４は、取付鍔部１４ｃにより上側装着枠１３の取付部１３ｃにネジ１５で取付固定されている。
【００２３】
次に、前記各細断用カッター８〜１０の駆動力伝達機構を説明する。前記カッター軸８ｃ、８ｄは、図４に示すように、相互に近接して平行に配置され、その両端が支持ブラケット１６、１７に回転自在に支持されている。また、前記カッター軸９ｃ、９ｄは、図４に示すように、相互に近接して平行に配置され、その両端及び途中が支持ブラケット１６、１８、１９に回転自在に支持されている。一端の支持ブラケット１６には、補助ブラケット２０が配置され、これらのブラケット１６、２０間に１本の駆動軸２１とアイドル軸２２とが回転自在に支持されている。上記各ブラケットは、基盤３に固定設置される。
【００２４】
上記駆動軸２１には、駆動ギヤ２３が取り付けられており、アイドル軸２２には、大径アイドルギヤ２４ａと小径アイドルギヤ２４ｂとが一体に取り付けられている。また、カッター軸８ｃ、８ｄの軸端には、相互に噛合する同歯数のギヤ２５、２６が取り付けられており、同じくカッター軸９ｃ、９ｄの軸端には、相互に噛合する同歯数のギヤ２７、２８が取り付けられている。
【００２５】
これらのギヤは、図４、図５に示すように、噛合連結されて一連に回転駆動される。即ち、駆動ギヤ２３は、カッター軸９ｃ、９ｄのギヤ２７、２８の一方に噛合して磁気ディスク類及び磁気カード類の細断用カッター９、１０を回転駆動させる。また、駆動ギヤ２３は、大径アイドルギヤ２４ａと噛合し、該大径アイドルギヤ２４ａと一体の小径アイドルギヤ２４ｂがカッター軸８ｃ、８ｄのギヤ２５、２６の一方に噛合して文書類細断用カッター８を回転駆動させる。
【００２６】
上記駆動軸２１には、図１に示す手動ハンドル２９が取り付けられ、この手動ハンドル２９を時計方向に回転させることにより、各ギヤを図５の矢印方向に回転駆動させ得るように構成されている。
本考案の実施形態は以上からなり、次に、その動作を説明する。
本考案のシュレッダー装置は、手動ハンドル２９を回転操作することにより、文書類細断用カッター８と、磁気ディスク類及び磁気カード類の細断用カッター９、１０とを回転駆動させて、文書類挿入口５から挿入される文書類を直交する２方向に細断することができ、また、磁気ディスク類挿入口６から挿入される磁気ディスク類を１方向に細断することができ、さらに、磁気カード類挿入口７から挿入される磁気カード類を１方向に細断すると同時に磁気情報記憶部に記憶された磁気情報を一対の磁石１１、１２で破壊乃至消去することができる。各細断用カッター８〜１０の下方の基盤３には、図２に示すように、細断屑を本体１内に落下排出するための開口部３０、３１が形成されており、それぞれの細断屑は、樹脂系と紙系とに分別して本体１内に設けられる屑受けに区画収容され、適宜、分別して廃棄処分される。この場合、屑受けは、樹脂系と紙系とに分離され、それぞれ本体１に側方へ個別に引き出し可能に設けられている。このように、細断屑を樹脂系と紙系とに分けて収納しておくことにより、これらを後から分別する手間が不要となり、廃棄が容易となる。
【００２７】
本考案のシュレッダー装置は、以上の実施形態からなるが、本考案は、これらの実施形態にのみ制約されるものではなく、実用新案登録請求の範囲に記載した事項の範囲内で自由に変更して実施することができる。例えば、文書類挿入口５は、Ａ４サイズのものを例示しているが、Ｂ４サイズやＡ３サイズとしてもよい。また、一対の磁石１１、１２は、磁気ディスク類挿入口６にも設けてもよく、さらに、文書類挿入口５にも設けてもよい。また、各細断用カッター８、９、１０は、電動モータによって回転駆動させるようにしてもよい。さらに、電動モータを設ける場合では、各挿入口５、６、７にセンサを設置して挿入物の有無を確認させて電動モータを駆動停止させるようにするのが望ましい。
【図面の簡単な説明】
【００２８】
【図１】本考案に係るシュレッダー装置の外観斜視図である。
【図２】図１のＡ−Ａ線断面図である。
【図３】上蓋内の磁石取付部付近の概略斜視図である。
【図４】細断用カッターの平面配置図である。
【図５】細断用カッターの駆動力伝達機構の説明図である。
【図６】ストレートカット構造の細断用カッターの説明図である。
【図７】クロスカット構造の細断用カッターの説明図である。
【図８】磁石取付部の説明用正面図である。
【符号の説明】
【００２９】
１    本体
２    上蓋
３    基盤
４    シュレッダー主要部
５    文書類挿入口
６    磁気ディスク類挿入口
７    磁気カード類挿入口
８    文書類細断用カッター
９    磁気ディスク類細断用カッター
１０    磁気カード類細断用カッター
１１    磁石
１２    磁石
【図１】
0003120594.tif 000003
【図２】
0003120594.tif 000004
【図３】
0003120594.tif 000005
【図４】
0003120594.tif 000006
【図５】
0003120594.tif 000007
【図６】
0003120594.tif 000008
【図７】
0003120594.tif 000009
【図８】
0003120594.tif 000010